(57)【要約】【課題】電力会社から提示される１ヶ月の電力使用量と電子式電力量計が算出する１ヶ月の電力使用量の誤差を少なくすることができる電子式電力量計を提供する。【解決手段】電子式電力量計１は月別の電力使用量の算出を行うために、１ヶ月のうち任意の日を締め日に設定する。締め日に設定された日の２４：００を越えた時点から測定値の積算を開始し、締め日に設定された日の２４：００までの電力使用量の積算値を月別の電力使用量とする。再び、締め日の２４：００を越えると翌月の電力使用量として積算を開始する。締め日の設定は電力会社の検針日と同じ日に設定することで電力会社から提示される１ヶ月の電力使用量と電子式電力量計が算出する１ヶ月の電力使用量の誤差を小さくすることができる。【選択図】図１
2010025634.tif 000002
【特許請求の範囲】
【請求項１】
電力使用量を測定して表示手段により表示を行う電子式電力量計において、１ヶ月間のうち任意の日を締め日に設定して月単位の電力使用量を測定することを特徴とする電子式電力量計。
【発明の詳細な説明】
【技術分野】
【０００１】
本発明は、電力使用量を測定して表示を行う電子式電力量計に関する。
【背景技術】
【０００２】
電子式電力量計は、家庭や事業所の分電盤に設置され、変流器によって電力線に流れる電流を測定して本体で演算することで電力使用量を算出し、算出された電力使用量を記憶装置に記憶し、データを表示部に表示したり、データをパソコンに取り出して電力使用量を管理したりすることで節電に役立てられている。電子式電力量計はカレンダー機能と計時機能を備えており、予め日付、時刻を設定することで、表示機能として日別の電力使用量や月別の電力使用量が表示できるようになっている。月別の電力使用量からは過去月の電力使用量と今月の電力使用量を比較することもでき、節電意識の向上に役立てられていた（例えば、特許文献１参照。）。
【０００３】
【特許文献１】特開２００３−１５６５１９号公報
【発明の開示】
【発明が解決しようとする課題】
【０００４】
しかしながら、従来の電子式電力量計は月別の電力使用量を算出する際に測定期間を月初めの１日０：００から月末の２４：００までとして電力使用量を算出しているが、電力会社の検針日は末日でないことが多い。このため、電力会社の検針日と電子式電力量計の締め日に誤差が生じ、電力会社から提示される１ヶ月の電力使用量と電子式電力量計が算出した１ヶ月の電力使用量とが大きく異なってしまうという問題があった。
【課題を解決するための手段】
【０００５】
本発明は、電力使用量を測定して表示手段により表示を行う電子式電力量計において、１ヶ月間のうち任意の日を締め日に設定して月単位の電力使用量を測定することを特徴とする。
【発明の効果】
【０００６】
本発明によれば、締め日の設定を電力会社の検針日と同じ日に設定することで電力会社から提示される１ヶ月の電力使用量と電子式電力量計が算出する１ヶ月の電力使用量の誤差を少なくすることができるという効果がある。
【発明を実施するための最良の形態】
【０００７】
電子式電力量計は月別の電力使用量の算出を行うために、１ヶ月のうち任意の日を締め日に設定する。締め日に設定された日の２４：００を越えた時点から測定値の積算を開始し、締め日に設定された日の２４：００までの電力使用量の積算値を月別の電力使用量とする。再び、締め日の２４：００を越えると翌月の電力使用量として積算を開始する。締め日の設定は電力会社の検針日と同じ日に設定することで電力会社から提示される１ヶ月の電力使用量と電子式電力量計が算出する１ヶ月の電力使用量の誤差を小さくすることができる。
【実施例１】
【０００８】
本発明に係る電子式電力量計の実施例１を図１の添付図面に基づいて説明する。
【０００９】
電子式電力量計は、家庭や事業所に設置された分電盤やキュービクルなどに設けられ、図１では電子式電力量計１は分電盤２内に設けられて主幹ブレーカ３から分岐ブレーカ４に接続される電力線５に変流器６を取り付けて電流値を測定している。また、電力線５に電源線７を接続して電子式電力量計１が作動するための電源を確保するとともに電圧値を測定し、測定した電流値と電圧値から電力使用量を演算して記憶手段に記憶し、表示手段１ａに表示したり、記憶手段に記憶されたデータをパソコンに取り出して電力使用量を管理したりすることができ、表示の切り替えや設定は操作手段１ｂによりできるようになっている。
【００１０】
電子式電力量計１は、カレンダー機能と計時機能を備えており、予め日付、時刻を設定する。また、設定では月別電力使用量を算出するため、１ヶ月のうちの任意の日を締め日に設定する。締め日の設定において、締め日を電力会社の検針日と同じ日に設定すると電力会社から提示される１ヶ月の電力使用量と電子式電力量計１が算出する１ヶ月の電力使用量の誤差を小さくできるので電力料金と電力使用量を比較する場合に良い。
【００１１】
このように構成された電子式電力量計１は、締め日の２４：００になった時点で積算電力量をその月の電力量として記録し、さらに新しい月の電力量の積算を開始する。これを繰り返し行うことで月別の電力使用量が記録される。ユーザは操作手段を操作して表示の切り替えを行うことで今月の電力使用量と過去月の電力使用量を表示することができる。
【００１２】
なお、締め日の設定の変更により特殊な演算が必要な場合がある。例えば、その月の締め日に至る前で締め日を現在日より前に設定する場合では、仮に現在日が４月２０日で設定変更前の締め日が２５日、設定変更後の締め日が１５日とすると、設定変更時点では３月２６日から４月２０日までの２６日間の電力使用量を測定しているが、設定変更後は設定変更前の締め日の翌日である３月２６日から設定変更後の締め日である４月１５日までの２１日分の電力使用量が４月分となり、設定変更後の締め日翌日の４月１６日以降は５月分となる。
【００１３】
このため、電子式電力量計１は日別の電力使用量から４月１６日から４月２０日までの５日分のデータを算出し、この５日分のデータを５月の途中分の電力使用量とし、設定変更時点で測定されている２６日間の電力使用量から５日分のデータを引き算することで４月分の電力使用量を算出する。
【００１４】
また、その月の締め日に至った後で締め日を現在日よりも後に設定する場合では、仮に現在日が４月１５日で設定変更前の締め日が１０日、設定変更後の締め日が２５日とすると、設定変更時点では３月１１日から４月１０日までが４月分の電力使用量として測定され、４月１１日以降は５月分として測定されているが、設定変更後は設定変更前の締め日の翌日である３月１１日から設定変更後の締め日である４月２５日までの４６日分の電力使用量が４月分となり、設定変更後の締め日翌日の４月２６日以降は５月分となる。
【００１５】
このため、電子式電力量計１は設定変更前の４月分の電力使用量に４月１１日以降の日別の電力使用量を足し算することで４月途中分の電力使用量を算出する。
【００１６】
また、電子式電力量計１は測定月の呼称を測定開始月にするか測定終了月にするか選択できるようになっている。従って、例えば、締め日を１５日に設定して３月１６日から４月１５日まで測定した場合、測定結果を３月期とするか４月期とするかはユーザが決定することができる。
【図面の簡単な説明】
【００１７】
【図１】本発明に係る電子式電力量計を収容した分電盤のブロック図である。
【符号の説明】
【００１８】
１    電子式電力量計
２    分電盤
３    電力線
６    変流器
７    電源線
【図１】
2010025634.tif 000003